(57)【特許請求の範囲】
【請求項１】
自動車用のワイヤハーネスと接続されると共に、電子制御回路を内蔵したジャンクションボックスからなる自動車用電気接続箱であって、
上記電気接続箱のケースの一側部に上記電子制御回路の収納空間を設けており、該収納空間に、車種に対応して必要な電子制御回路を実装したプリント基板を仕切材を介して個別に直接挿入しており、
上記仕切材を電気接続箱のケースと別体に設け、該仕切材の一端にケースへの取付部を設けると共に他端にプリント基板の固定部を設ける一方、上記ケースの収容空間に面する側面に間隔をあけて複数の仕切材嵌合溝を設け、これら仕切材嵌合溝を選択して上記別体の仕切材の取付部を取り付けることを特徴とする自動車用電気接続箱。
【請求項２】
上記各電子制御回路を実装したプリント基板に、該プリント基板接続用のコネクタフードを設けたカバーを予め結合しておき、該カバーで、上記収納空間の開口を閉鎖する構成としている請求項１に記載の自動車用電気接続箱。
【発明の詳細な説明】
【０００１】
【発明の属する技術分野】
本発明は自動車用電気接続箱に関し、車種に対応して必要な電子制御回路を実装したプリント基板を選択的に取り付け可能とし、部品コスト低減を図ったものである。
【０００２】
【従来の技術】
近年、自動車においてはいわゆるカーエレクトロニックス化が進み、さまざまな機能を有する電装品が装備されており、該電装品を制御する電子制御回路は１つのジャンクションボックスからなる電気接続箱に集約して内蔵している場合がある。
【０００３】
図３に示すように、電気接続箱のケース５０の一側部に電子制御ユニット収納部５３を設け、該電子制御ユニット収納部５３に１枚のプリント基板５２を側壁内面に沿って収納している。該プリント基板５２には、上記電装品を制御するための電子制御回路を構成するリレー，ダイオードおよびコンデンサ等の各種電子部品を実装しており、上記プリント基板５２は、電子制御ユニット収納部５３のカバー５１に形成したコネクタ収納部５１ａ内の端子５１ｂに電気接続されている。
【０００４】
例えば、該カバー５１には、間欠イントワイパー，キーアラームおよびシフトロック等の各電装品に接続したワイヤハーネス先端に設けたコネクタを嵌合して接続している。
【０００５】
【発明が解決しようとする課題】
ところで、自動車は車種によって異なる電装品を装備しており、またユーザの希望によってオプションの電装品を装備する場合がある。そこで、上記電気接続箱のケース５０に内蔵するプリント基板５２上には、全車種に対して予め全ての電装品を制御するための電子制御回路を実装している。よって搭載されていない電装品を制御する電子制御回路を未使用状態とすることで、車種やユーザ希望に対応している。
【０００６】
このように上記電気接続箱では、プリント基板５２上に、車種によっては全く使用することがない電子制御回路が実装されていることがあり、部品コストの上昇を招いていた。
【０００７】
本発明は上記問題点に鑑み、必要な電子制御回路を実装したプリント基板のみを選択的に取り付け可能として、部品コスト低減を図った自動車用電気接続箱を提供することを課題としている。
【０００８】
【課題を解決するための手段】
上記課題を解決するため、本発明は、自動車用のワイヤハーネスと接続されると共に、電子制御回路を内蔵したジャンクションボックスからなる自動車用電気接続箱であって、
上記電気接続箱のケースの一側部に上記電子制御回路の収納空間を設けており、該収納空間に、車種に対応して必要な電子制御回路を実装したプリント基板を仕切材を介して個別に直接挿入しており、
上記仕切材を電気接続箱のケースと別体に設け、該仕切材の一端にケースへの取付部を設けると共に他端にプリント基板の固定部を設ける一方、上記ケースの収容空間に面する側面に間隔をあけて複数の仕切材嵌合溝を設け、これら仕切材嵌合溝を選択して上記別体の仕切材の取付部を取り付けることを特徴とする自動車用電気接続箱を提供している。
【０００９】
上記構成により、電子制御回路を実装したプリント基板を、電気接続箱のケース内の仕切材を介して個別に挿入できる。これにより、車種に対応して必要な電子制御回路を実装したプリント基板のみを電気接続箱のケースに内蔵することができ、従来のように使用されることがない電子制御回路をなくすことができる。
【００１０】
前記したように、仕切材を電気接続箱のケースと別体に設けると、収納空間の内面に間隔をあけて設けられた仕切材嵌合溝を選択して別体の仕切材を取り付けることで、電子制御回路を実装した各プリント基板の収納部の大きさが調整可能となり、電子制御回路の規模に応じた大きさのプリント基板を収納することができる。
【００１１】
また、上記各電子制御回路を実装したプリント基板に、該プリント基板接続用のコネクタフードを設けたカバーを予め結合しておき、該カバーで、上記収納空間の開口を閉鎖する構成としてもよい。
【００１２】
上記構成により、電気接続箱のケース内にプリント基板を収納すると共にコネクタフードを有するカバーにより上記収納空間の開口を閉鎖することができ、組み立て作業性を向上させることができる。
【００１３】
【発明の実施の形態】
以下、本発明の実施形態を図面を参照して説明する。
ジャンクションボックスからなる自動車用電気接続箱は、間欠イントワイパー，キーアラームおよびシフトロック等の電装品にワイヤハーネスにより接続されると共に、上記電装品を制御する電子制御回路を内蔵している。
【００１４】
図１の参考実施形態に示すように、電気接続箱のケース１の一側部には電子制御回路（図示せず）の収納空間２を設けている。
ケース１の側面すなわち収納空間２の内面からは所定間隔を設けて複数の仕切材３を一体に突設している。各仕切材３はケース１の上面から下面側に延在させたものであり、先端を側方に突出させたものである。
隣接した仕切材３の間に各プリント基板４ａ，４ｂ，４ｃを挿入している。各プリント基板４ａ，４ｂ，４ｃ上には電子制御回路を構成するリレー，ダイオードおよびコンデンサ等の各種電子部品を実装している。
例えば、プリント基板４ａには、シフトロック用電子制御回路、プリント基板４ｂにはキーアラーム用電子制御回路、プリント基板４ｃには間欠イントワイパー用電子制御回路を実装している。
隣接した仕切材３の間隔は該プリント基板４ａ，４ｂ，４ｃの幅に略一致したものである。
【００１５】
ケース１の上面すなわち収納空間２の開口は、カバー５で閉鎖している。該カバー５には、プリント基板接続用のコネクタフード５ａを結合しコネクタ収納部５ｂを設けている。コネクタ収納部５ｂ内の各端子５ｃは各プリント基板４ａ，４ｂ，４ｃに電気接続される。該コネクタ収納部５ｂには各電装品からのワイヤハーネス先端に設けたコネクタ（図示せず）を収納する。
【００１６】
このような電気接続箱では、車種に対応して必要な電子制御回路を実装したプリント基板４ａ，４ｂ，４ｃのみを選択的に収納空間２内の収納することができる。これにより、従来のように未使用の電子制御回路が存在することがなく、部品コスト低減を図ることができる。
【００１７】
図１の参考実施形態では、ケース２に仕切材３を一体に突設しているが、本発明では、仕切材をケース２と別体に設けている。
【００１８】
この場合、図２に示す実施形態のように、収納空間２の内面すなわちケース１０の側面に間隔をあけて複数の仕切材嵌合溝１０ａを設けている。該仕切材嵌合溝１０ａはケース１の内面に、上面から下面側にかけてのスリット１０ｂを設け、該スリット１０ｂに延在させてケース１０の外側に突出した仕切材収納部１０ｂを有するものである。
【００１９】
仕切材３０は一端がケース１０への取付部３０ａとなり他端はプリント基板４ａ，４ｂ，４ｃの固定部３０ｂとなり、これら取付部３０ａおよび固定部３０ｂはともに先端を側方に突出させたものであり、ケース１０の上面から下面側にかけて延在させたものである。
【００２０】
仕切材嵌合溝１０ａを選択して別体の仕切材３０を取り付けることで、隣接した仕切材３０の間隔を調整してプリント基板４ａ，４ｂ，４ｃの収納部の大きさを調整することができ、電子制御回路の規模に応じて大きさの異なるプリント基板４ａ，４ｂ，４ｃを収納することができる。
【００２１】
なお、上記参考実施形態および実施形態では、プリント基板４ａ，４ｂ，４ｃとカバー５とを別々にケース１，１０に装着しているが、プリント基板４ａ，４ｂ，４ｃに、該プリント基板接続用のコネクタフードを設けたカバーをＬ字型の固定具等により予め結合しておき、プリント基板４ａ，４ｂ，４ｃを収納空間２内の隣接した仕切材３，３０間に挿入すると共にカバー５をケース１，１０の上面に装着することで、組み立て作業性を向上させることができる。さらにプリント基板にカバーを一体に形成しても上記と同様の効果が得られる。
【００２２】
【発明の効果】
以上の説明より明らかなように、本発明の自動車用電気接続箱によれば、電子制御回路を実装したプリント基板を、電気接続箱のケース内の仕切材を介して個別に挿入できる。したがって、車種に対応して必要な電子制御回路を実装したプリント基板のみを個別に電気接続箱のケースに内蔵することができ、従来のように使用されることがない電子制御回路をなくすことができる。これにより部品コスト低減を図ることができる。
【図面の簡単な説明】
【図１】  本発明の参考実施形態を示し、（Ａ）は上面図、（Ｂ）は（Ａ）のＡ−Ａ線における断面図である。
【図２】  本発明の実施形態を示す要部概略図である。
【図３】  従来例を示し、（Ａ）は上面図、（Ｂ）は（Ａ）のＡ−Ａ線における断面図である。
【符号の説明】
１，１０  ケース
２   収納空間
３，３０  仕切材
４ａ，４ｂ，４ｃ  プリント基板
１０ａ  仕切材嵌合溝
【図１】
0003661359.tif 000002
【図２】
0003661359.tif 000003
【図３】
0003661359.tif 000004